(57)【要約】【課題】ＳＩＰ端末装置間でピアツーピア通信を行うとき、ＳＩＰ端末装置間の接続規制を実行するＳＩＰ端末装置におけるピアツーピア接続の接続規制方法を提供する。【解決手段】所定の通信ネットワークに接続された複数のＳＩＰ端末装置は、自らのＳＩＰ端末装置と他のＳＩＰ端末装置とを識別する識別子情報を保持する識別情報保持部と、接続を許可するＳＩＰ端末装置の識別子情報を保持する許可情報保持部と、他のＳＩＰ端末装置と通信する際のＳＩＰメッセージに自らの識別子情報を付与して送信する呼制御部とを備え、呼制御部は、他のＳＩＰ端末装置から送出されたＳＩＰメッセージを受けて、このＳＩＰメッセージに含まれる他のＳＩＰ端末装置の識別子情報が許可情報保持部に保持された接続を許可するＳＩＰ端末装置の識別情報があるとき、ＳＩＰ端末装置間における相互通信を許可する。【選択図】図１
2008099168.tif 000002
【特許請求の範囲】
【請求項１】
所定の通信ネットワークに接続された一対のＳＩＰ端末装置におけるピアツーピア接続の接続規制方法であって、
前記ＳＩＰ端末装置は、該ＳＩＰ端末装置と前記ネットワークに接続された他の前記ＳＩＰ端末装置とを識別する識別子情報を保持する識別情報保持部と、
接続を許可する前記ＳＩＰ端末装置の識別子情報を保持する許可情報保持部と、
前記通信ネットワークを介して他の前記ＳＩＰ端末装置と通信する際のＳＩＰメッセージに自らの前記識別子情報を付与して送信する呼制御部と
を備え、
前記呼制御部は、他の前記ＳＩＰ端末装置から送出されたＳＩＰメッセージを受けて、このＳＩＰメッセージに含まれる前記識別子情報が前記許可情報保持部に保持されているとき、該ＳＩＰ端末装置間における相互通信を許可することを特徴とするＳＩＰ端末装置におけるピアツーピア接続の接続規制方法。
【請求項２】
請求項１に記載のＳＩＰ端末装置におけるピアツーピア接続の接続規制方法であって、
前記ＳＩＰ端末装置は、更に前記許可情報保持部に前記識別子情報を入力する識別子情報入力部を備えることを特徴とするＳＩＰ端末装置におけるピアツーピア接続の接続規制方法。
【請求項３】
前記識別子情報は、前記ネットワークを介して前記ＳＩＰ端末装置に与えられるものである請求項１に記載のＳＩＰ端末装置におけるピアツーピア接続の接続規制方法。
【請求項４】
請求項１〜３のいずれかに記載のＳＩＰ端末装置におけるピアツーピア接続の接続規制方法であって、
前記ネットワークに接続されて、前記識別子情報を保持する接続情報格納データベースサーバを備え、
前記ＳＩＰ端末装置は、他の前記ＳＩＰ端末装置と相互通信するに際して、前記接続情報格納データベースが保持する前記識別子情報を取得して前記許可情報保持部に保持すると共に、他の前記ＳＩＰ端末装置から送出されたＳＩＰメッセージを受けて、このＳＩＰメッセージに含まれる前記識別子情報が前記許可情報保持部に保持されているとき、該ＳＩＰ端末装置間における相互通信を許可することを特徴とするＳＩＰ端末装置におけるピアツーピア接続の接続規制方法。
【発明の詳細な説明】
【技術分野】
【０００１】
本発明はＳＩＰ端末装置におけるピアツーピア接続の接続規制方法に関する。
【背景技術】
【０００２】
従来、ＩＰネットワークを利用したＩＰ電話システムがある。このＩＰ電話システムは、例えば図９に示すようにインターネットプロトコルを利用するＩＰネットワーク１、このＩＰネットワーク１に接続された複数のＳＩＰ端末装置２とこれらＳＩＰ端末装置２間の接続を仲介するＳＩＰサーバ３を備えて構成される（ＳＩＰ：Session Initiation Protocol／ＲＦＣ３２６１）。
【０００３】
このように構成されたＩＰ電話システムにおいてＳＩＰ端末装置２，２間で通信（通話）を行う場合、その通信に先立ってＳＩＰサーバ３とＳＩＰ端末装置２との間で、接続先端末情報を取得し、その接続先端末情報に従って所定のプロトコルに従ってＳＩＰ端末装置２，２との間で相互通信が行われる（ＳＩＰ：Session Initiation Protocol／ＲＦＣ３２６１）。
【０００４】
またこの種のＳＩＰ端末装置を利用した通信方式において、特定のＳＩＰ端末装置だけに通信を許可する接続規制を行う場合、ＳＩＰサーバ３に通信を許可するＳＩＰ端末装置２の接続許可情報を保持しておく。そしてＳＩＰサーバ３は、ＳＩＰ端末装置２からの呼をプロキシする際に、当該ＳＩＰサーバ３が保持する接続許可情報をもとに呼の接続規制をする。このような接続規制をするネットワーク間接続制御方法及びシステム装置が知られている（例えば、特許文献１参照）。
【特許文献１】特開２００５−１７５６３５号公報
【発明の開示】
【発明が解決しようとする課題】
【０００５】
しかしながら、前述した特許文献に記載の発明は、ＳＩＰサーバ３が保持するＳＩＰ端末装置２，２間の接続許可情報に基づく接続制御方法である。したがってＳＩＰサーバ３を介さず、ＳＩＰ端末装置２，２間で一対一（ピアツーピア）通信を行う場合は、ＳＩＰ端末装置２，２間における接続制限の制御ができないという問題がある。
本発明は、上述した従来の問題点を解決すべくなされたものであって、その目的は、ＳＩＰ端末装置間で一対一（ピアツーピア）通信を行う場合であってもＳＩＰ端末装置間の接続規制を行うことができるＳＩＰ端末装置におけるピアツーピア接続の接続規制方法を提供することにある。
【課題を解決するための手段】
【０００６】
上述した目的を達成すべく本発明のＳＩＰ端末装置におけるピアツーピア接続の接続規制方法は、所定の通信ネットワークに接続された一対のＳＩＰ端末装置におけるピアツーピア接続の接続規制方法であって、
前記ＳＩＰ端末装置は、該ＳＩＰ端末装置と前記ネットワークに接続された他の前記ＳＩＰ端末装置とを識別する識別子情報を保持する識別情報保持部と、接続を許可する前記ＳＩＰ端末装置の識別子情報を保持する許可情報保持部と、前記通信ネットワークを介して他の前記ＳＩＰ端末装置と通信する際のＳＩＰメッセージに自らの前記識別子情報を付与して送信する呼制御部とを備え、
前記呼制御部は、他の前記ＳＩＰ端末装置から送出されたＳＩＰメッセージを受けて、このＳＩＰメッセージに含まれる前記識別子情報が前記許可情報保持部に保持されているとき、該ＳＩＰ端末装置間における相互通信を許可することを特徴としている。
【０００７】
好ましくは前記ＳＩＰ端末装置は、更に前記許可情報保持部に前記識別子情報を入力する識別子情報入力部を備えることが望ましい。
また前記識別子情報は、前記ネットワークを介して前記ＳＩＰ端末装置に与えられるものとして構成される。
或いは本発明のＳＩＰ端末装置におけるピアツーピア接続の接続規制方法は、前記ネットワークに接続されて、前記識別子情報を保持する接続情報格納データベースサーバを備え、前記ＳＩＰ端末装置は、他の前記ＳＩＰ端末装置と相互通信するに際して、前記接続情報格納データベースが保持する前記識別子情報を取得して前記許可情報保持部に保持すると共に、他の前記ＳＩＰ端末装置から送出されたＳＩＰメッセージを受けて、このＳＩＰメッセージに含まれる前記識別子情報が前記許可情報保持部に保持されているとき、該ＳＩＰ端末装置間における相互通信を許可することを特徴としている。
【発明の効果】
【０００８】
上述したように本発明のＳＩＰ端末装置におけるピアツーピア接続の接続規制方法によれば、ＳＩＰ端末装置の識別情報保持部が保持する識別子情報を通信（通話）に先立って通信相手からのＳＩＰ端末装置に転送し、この識別子情報を受けたＳＩＰ端末装置は、このＳＩＰ端末装置の許可情報保持部が保持する通信を許可する識別子であるとき判定したとき、ＳＩＰサーバを介すことなく呼制御部による通信を許可することができる。
【０００９】
また、本発明のＳＩＰ端末装置におけるピアツーピア接続において識別子は、ＳＩＰ端末装置が備える識別子情報入力部としての例えばキーボードから入力設定されるだけでなく、ＳＩＰ端末装置が接続されたネットワークを介して他の端末装置、例えばパソコン等から設定することもできる。
或いは、ＳＩＰ通信端末装置は、他のＳＩＰ端末装置と相互通信する際、接続情報格納データベースが保持する識別子情報をネットワークを介して受け取り、許可接続情報保持部に保持する一方、他のＳＩＰ端末装置から送出されたＳＩＰメッセージを受けたとき、このＳＩＰメッセージに含まれる識別子情報が許可情報保持部に保持されているとき、ＳＩＰ端末装置間における相互通信を許可しているので、ＳＩＰサーバを介すことなく呼制御部による通信を許可することができる。
【００１０】
勿論、ＳＩＰサーバを介して接続規制を行う場合であっても、更に本発明のＳＩＰ端末装置におけるピアツーピア接続の接続規制方法を併用することもできるという優れた効果を奏し得る。
【発明を実施するための最良の形態】
【００１１】
以下、本発明の一実施形態に係るＳＩＰ端末装置におけるピアツーピア接続の接続規制方法について図面を参照しながら説明する。
図１において、図９と同一の符号を付した部分は同一物を表し、基本的な構成は図９に示す従来のものと同様である。尚、図１〜図８は、本発明の実施例を説明するための図であって、これらの図によって本発明が限定されるものではない。
【００１２】
さて、図１において１は、例えばＩＰパケットが送受されるＩＰネットワークである。このＩＰネットワーク１には、ＳＩＰプロトコルによってＶｏＩＰを実行するＳＩＰ端末装置２，２が接続されている。詳しくはこのＳＩＰ端末装置２は、ネットワーク１に接続されて、このネットワーク１を介してＳＩＰ端末装置２，２，との間で相互に所定の情報を送受するネットワークインタフェース部２ａ、このネットワークインタフェース部２ａを介してＳＩＰメッセージの生成／解析を行いＳＩＰプロトコルに従って通信を実行するＳＩＰスタック部２ｂ、ネットワークインタフェース部２ａを介して前記他のＳＩＰ端末装置２と通話を実行中に通話パス（ＲＴＰ）制御を行うメディア部２ｃ、ＳＩＰ端末装置２を操作するユーザへの情報提示や文字列等の表示出力やユーザから入力される電話番号、短縮キー等の操作入力、通話音声の入出力のほか、他のＳＩＰ端末装置２との接続を許可する識別子情報を入力する識別子情報入力部の役割を担う入出力インタフェース部２ｅ、他のＳＩＰ端末装置２と重複することなく他のＳＩＰ端末装置２と自端末装置とを識別可能な識別子情報を保持する識別情報保持部１０ａ、当該ＳＩＰ端末装置２と接続を許可するＳＩＰ端末装置２の識別子情報を保持する許可情報保持部１０ｂと、これら各部の作動を制御するとともに、ＳＩＰスタックの呼制御および通話パスの確立を制御する呼制御部２ｄを備える。
【００１３】
ちなみに識別情報保持部１０ａおよび許可情報保持部１０ｂは、例えばＳＩＰ端末装置２のメモリ等の記憶部にそのデータをテーブルとして保持するデータ管理部１０によって管理される。具体的にこれらの情報は、識別子情報入力部の役割を担う入出力インタフェース部２ｅから入力されて、図２に示すようにデータ管理部１０の内部に当該ＳＩＰ端末装置２の識別子情報と、接続を許可するＳＩＰ端末装置２の識別子情報とがテーブルとして保持される。
【００１４】
尚、上述した識別子情報は、例えばイーサネット（登録商標）のインタフェースとして実装されるＭＡＣアドレス情報等を用いることが望ましいが、他のＳＩＰ端末装置２と識別可能であればよく、ＭＡＣアドレスに限定されるものではない（例えばＩＰアドレス、ユーザの名前やＳＩＰ端末装置２に予め割り当てられた電話番号等でもよい）。
また、この識別子情報は、ＩＰネットワーク１を介して例えばパソコン等の端末装置（図１には図示せず）から入力されてＳＩＰ端末装置２のデータ管理部１０に保持するように構成してもかまわない。
【００１５】
或いは、図１には特に図示しないが、上記識別子情報を保持する接続情報格納データベースサーバをＩＰネットワーク１に接続し、ＳＩＰ端末装置２がこの接続情報格納データベースサーバにアクセスして識別子情報を受け取るように構成してもよい。この場合、ＳＩＰ端末装置２は、他のＳＩＰ端末装置２と相互通信するに際して、ＳＩＰ端末装置２，２間の通信を許可する識別子情報を接続情報格納データベースから取得して許可情報保持部１０ｂに保持する。そしてこのＳＩＰ端末装置２は、他のＳＩＰ端末装置２から送出されたＳＩＰメッセージを受け、このＳＩＰメッセージに含まれる識別子情報が許可情報保持部１０ｂに保持されている識別子情報と一致したと判定したとき、ＳＩＰ端末装置２，２間における相互通信を実行する。
【００１６】
次に概略的には上述したように構成された本発明のＳＩＰ端末装置におけるピアツーピア接続の接続規制方法の作動についてより詳細に説明する。
他のＳＩＰ端末装置２とピアツーピア接続を実行するに先立って、呼制御部２ｄは、識別情報保持部１０ａに保持された自端末の識別子情報を参照し、ＳＩＰメッセージのローカルタグまたはリモートタグにこの識別子情報を設定する。ちなみにローカルタグは、当該呼における自端末を表す識別子であり、リモートタグは、当該呼における通信相手方の識別子である。
【００１７】
ＳＩＰ端末装置２，２間で送受されるこれらのタグの伝達手順についての詳細は後述するが、その設定方法は、リクエスト送信時およびレスポンス受信時においては、Ｆｒｏｍのローカルタグに図３に示すように自端末を示すタグ情報を例えば［tag=000F203B3BDF］というように設定してＳＩＰメッセメッセージとする。尚、ここに示したタグ情報は、前述した当該端末のＭＡＣアドレス等が設定されて他のＳＩＰ端末装置２と識別可能となるようになっている。またリクエスト受信時およびレスポンス送信時は、Ｆｒｏｍのリモートタグに通信相手方の識別子が同様にタグとして設定される。
【００１８】
またリクエスト受信時およびレスポンス送信時にＴｏのローカルタグには、図４に示すように自端末を示すタグ情報を例えば［tag=0040D06AA321］というように設定しＳＩＰメッセージとする。尚、ここに示したタグ情報は、前述した当該端末のＭＡＣアドレス等である。またリクエスト送信時およびレスポンス受信時は、Ｔｏのリモートタグに通信相手方の識別子が同様にタグとして設定される。
【００１９】
ちなみに識別子としてＭＡＣアドレス以外の情報を設定する場合は、
（１）ＳＩＰ端末装置２が備える入出力インタフェース部２ｅから、ＳＩＰ端末装置２を利用するユーザが設定して登録する。
（２）接続を所望する相手方のＳＩＰ端末装置２に自端末装置を識別する識別子情報を含むＳＩＰメッセージを予め送出して登録させる。この場合は、応答メッセージとして受け取ったリモートタグの識別子を接続情報として保持すればよい。尚、この場合は、ユーザが無作為に登録作業を行うことができないような仕組みをとることが望ましい。
（３）特に図示しないが接続情報格納データベースを備えたデータベースサーバを設け、このデータベースサーバに接続を許可するＳＩＰ端末装置２の情報を保持させる。そしてＳＩＰ端末装置２は、通信に先だってＳＩＰメッセージにてこのデータベースサーバに問い合わせを行い、これを接続情報とする。
【００２０】
尚、（２）および（３）のＳＩＰメッセージには、Ｒｅｇｉｓｔｅｒ、Ｉｎｖｉｔｅ、Ｉｎｆｏ、Ｓｕｂｓｃｒｉｂｅ／ＮｏｔｉｆｙおよびＯｐｔｉｏｎｓを使用することが可能である。
次にこのように構成された本発明のＳＩＰ端末装置におけるピアツーピア接続の接続規制方法の発着信シーケンスについて、まずＳＩＰ端末装置２ＢからＳＩＰ端末装置２Ａに対して接続要求があり、ＳＩＰ端末装置２Ａがこの着信呼を許可する場合を説明する。
【００２１】
ＳＩＰ端末装置２Ｂは、図５に示すようにＳＩＰ端末装置２Ａに対してＩｎｖｉｔｅメッセージを送出して発信を行う（ステップＳ１）。するとＳＩＰ端末装置２Ａの呼制御部２ｄは、この着信呼のＦｒｏｍに含まれるタグ情報がデータ管理部１０の許可情報保持部１０ｂに保持されているかどうか（接続許可）を調べる。呼制御部２ｄは、Ｆｒｏｍに含まれるタグ情報がデータ管理部１０の許可情報保持部１０ｂに保持されており、即ち接続を許可されたＳＩＰ端末装置２Ｂからの着信呼であると判定したとき、ＳＩＰ端末装置２Ｂに対して、１００Ｔｒｙｉｎｇ（ステップＳ２）および１８０Ｒｉｎｇｉｎｇ（ステップＳ３）を返す。そして着信を受けたＳＩＰ端末装置２Ａは、発信したＳＩＰ端末装置２Ｂに対して２００ＯＫを返す（ステップＳ４）。このメッセージを受けたＳＩＰ端末装置２Ｂは、ＳＩＰ端末装置２ＡにＡＣＫを返し（ステップＳ５）、ＳＩＰ端末装置２Ａ，２Ｂ間のセッションが確立する（ステップＳ６）。
【００２２】
次にＳＩＰ端末装置２ＢからＳＩＰ端末装置２Ａに対して接続要求があり、ＳＩＰ端末装置２Ａがこの着信呼を制限する場合を説明する。
ＳＩＰ端末装置２Ｂは、図６に示すようにＳＩＰ端末装置２Ａに対してＩｎｖｉｔｅメッセージを送出する（ステップＳ１０）。するとＳＩＰ端末装置２Ａの呼制御部２ｄは、この着信呼のＦｒｏｍに含まれるタグ情報がデータ管理部１０の許可情報保持部１０ｂに保持されたタグ情報にあるかどうか（接続許可）を調べる。呼制御部２ｄは、Ｆｒｏｍに含まれるタグ情報がデータ管理部１０の許可情報保持部１０ｂに保持されたタグ情報にないとき、接続を制限されたＳＩＰ端末装置２Ｂからの着信呼であると判定して発信したＳＩＰ端末装置２Ｂに対して１００Ｔｒｙｉｎｇ（ステップＳ１１）および４０３Ｆｏｒｂｉｄｄｅｎ（ステップＳ１２）を送出する。すると発信したＳＩＰ端末装置２Ｂは、通信が制限されたＳＩＰ端末装置２Ａに対する発信であると判定して、ＡＣＫを返信する（ステップＳ１３）。
【００２３】
次いで本発明のＳＩＰ端末装置におけるピアツーピア接続の接続規制方法の発着信シーケンスについて、ＳＩＰ端末装置２ＡからＳＩＰ端末装置２Ｂに対して接続要求をし、発信したＳＩＰ端末装置２Ａが接続を許可または制限する場合を説明する。
ＳＩＰ端末装置２Ａは、図７に示すようにＳＩＰ端末装置２Ｂに対してＩｎｖｉｔｅメッセージを送出して発信を行う（ステップＳ２０）。するとＳＩＰ端末装置２Ｂは、この発信呼に対して１００Ｔｒｙｉｎｇ（ステップＳ２１）および１８０Ｒｉｎｇｉｎｇ（ステップＳ２２）のメッセージを返す。するとこのメッセージを受けた発信側のＳＩＰ端末装置２Ａは、これらのメッセージのＦｒｏｍに含まれるタグ情報がデータ管理部１０の許可情報保持部１０ｂに保持されたタグ情報にあるかどうか（接続許可）を調べる。呼制御部２ｄは、Ｆｒｏｍに含まれるタグ情報がデータ管理部１０の許可情報保持部１０ｂに保持されたタグ情報にあり、接続を許可されたＳＩＰ端末装置２Ｂからのメッセージが返信されたと判定したとき、ＳＩＰ端末装置２Ｂから送出される２００ＯＫメッセージ（ステップＳ２３）を受け、その応答としてＡＣＫを返信し（ステップＳ２４）、ＳＩＰ端末装置２Ａ，２Ｂ間のセッションを確立させる（ステップＳ２５）。
【００２４】
次にＳＩＰ端末装置２ＡからＳＩＰ端末装置２Ｂに対して発信をし、このＳＩＰ端末装置２Ａが、この発信を放棄（発信制限）する場合を説明する。
図８に示すようにＳＩＰ端末装置２Ａは、ＳＩＰ端末装置２Ｂに対してＩｎｖｉｔｅメッセージを送出して発信を行う（ステップＳ３０）。するとＳＩＰ端末装置２Ｂは、この発信呼に対して１００Ｔｒｙｉｎｇ（ステップＳ３１）および１８０Ｒｉｎｇｉｎｇ（ステップＳ３２）のメッセージを返す。このメッセージを受けた発信側のＳＩＰ端末装置２Ａは、これらのメッセージのＦｒｏｍに含まれるタグ情報がデータ管理部１０の許可情報保持部１０ｂに保持されたタグ情報にあるかどうか（接続許可）を調べる。そして呼制御部２ｄは、Ｆｒｏｍに含まれるタグ情報がデータ管理部１０の許可情報保持部１０ｂに保持されたタグ情報になく、接続を制限されたＳＩＰ端末装置２Ｂからのメッセージであると判定したとき、ＳＩＰ端末装置２Ｂに発信を放棄するＣＡＮＣＥＬを送出する（ステップＳ３３）。このＣＡＮＣＥＬを受けたＳＩＰ端末装置２Ｂは、２００ＯＫを返信する（ステップＳ３４）。そしてＳＩＰ端末装置２Ａは、このメッセージを受けたことを示すＡＣＫを返信して一連の発信手順を終了する（ステップＳ３５）。
【００２５】
このように本発明のＳＩＰ端末装置におけるピアツーピア接続の接続規制方法は、ＲＦＣに規定されている標準プロトコルを変更することなくＳＩＰ端末装置間の接続規制を行うことができる。したがって本発明は、ＳＩＰ端末装置のメーカや機種による制限を受けることなく発着信を行うことができる。
尚、上述した本発明のＳＩＰ端末装置におけるピアツーピア接続の接続規制方法を実装していないＳＩＰ端末装置（例えば、他社のＳＩＰ端末装置等であり、以下、非実装端末と称する）が、本発明のＳＩＰ端末装置が接続されたネットワークに接続された場合、非実装端末に対して接続要求をすると、非実装端末からは、上述したタグを付与したメッセージが返信されない。このためＳＩＰ端末装置２は、このタグが返信されないことをもって接続を制限することができる。
【００２６】
また、本発明のＳＩＰ端末装置におけるピアツーピア接続の接続規制方法は、許可情報保持部１０ｂが接続を許可するＳＩＰ端末装置２の識別子情報を保持し、呼制御部２ｄが他のＳＩＰ端末装置２から送出されたＳＩＰメッセージを受けて、このＳＩＰメッセージに含まれる識別子情報が許可情報保持部１０ｂに保持されているときにその接続を許可している。このため本発明は、特定のＳＩＰ端末装置間でホットラインを構成する場合であっても、他のＳＩＰ端末装置への誤発信を防止することが可能である。勿論、本発明のＳＩＰ端末装置におけるピアツーピア接続の接続規制方法は、接続が制限されたＳＩＰ端末装置からの着信を拒否することもＳＩＰサーバを介することなくできる等、実用上多大なる効果を奏する。
【００２７】
尚、本発明のＳＩＰ端末装置におけるピアツーピア接続の接続規制方法は、上記した実施の形態に限定されるものではなく、本発明の要旨を逸脱しない範囲内において種々変更を加えることが可能である。
【図面の簡単な説明】
【００２８】
【図１】本発明の一実施形態に係るＳＩＰ端末装置におけるピアツーピア接続の接続規制方法を適用したＳＩＰ端末装置の要部概略構成を示す機能ブロック図。
【図２】図１に示した識別情報保持部と許可情報保持部のデータ構造の一例を示す図。
【図３】ＳＩＰメッセージのＦｒｏｍに設定した識別子情報の設定例を示す図。
【図４】ＳＩＰメッセージのＴｏに設定した識別子情報の設定例を示す図。
【図５】本発明の一実施形態に係るＳＩＰ端末装置におけるピアツーピア接続の接続規制方法において、着信時にその着信を許可する着信シーケンスを示す図。
【図６】本発明の一実施形態に係るＳＩＰ端末装置におけるピアツーピア接続の接続規制方法において、着信時にその着信を制限する着信シーケンスを示す図。
【図７】本発明の一実施形態に係るＳＩＰ端末装置におけるピアツーピア接続の接続規制方法において、発信時にその発信を許可する着信シーケンスを示す図。
【図８】本発明の一実施形態に係るＳＩＰ端末装置におけるピアツーピア接続の接続規制方法において、発信時にその発信を制限する着信シーケンスを示す図。
【図９】ＳＩＰ端末装置およびＳＩＰサーバを用いた従来のＩＰ電話システムの概略構成を示す図。
【符号の説明】
【００２９】
１                ネットワーク
２，２Ａ，２Ｂ    ＳＩＰ端末装置
２ａ              ネットワークインタフェース
２ｂ              スタック部
２ｃ              メディア部
２ｄ              呼制御部
２ｅ              入出力インタフェース部
１０                データ管理部
１０ａ              識別情報保持部
１０ｂ              許可情報保持部
【図１】
2008099168.tif 000003
【図２】
2008099168.tif 000004
【図３】
2008099168.tif 000005
【図４】
2008099168.tif 000006
【図５】
2008099168.tif 000007
【図６】
2008099168.tif 000008
【図７】
2008099168.tif 000009
【図８】
2008099168.tif 000010
【図９】
2008099168.tif 000011